(57)【要約】【課題】目的とする光コネクタの特定が容易であり、かつ着脱作業が容易であり、しかも十分な光コネクタの保護が可能となる光コネクタ保留盤を提供する。【解決手段】保留盤本体２と、光コネクタ２０が挿入されることによりこの光コネクタ２０に装着可能なキャップ部３とを備えた光コネクタ保留盤１。キャップ部３は、保留盤本体２に対し着脱自在に取り付け可能であり、かつ保留盤本体２に取り付けられた状態で光コネクタ２０を引き抜く際に、前記取り付け状態が維持される。【選択図】図１
2011095573.tif 000002
【特許請求の範囲】
【請求項１】
光コネクタを保留する光コネクタ保留盤であって、
保留盤本体と、前記光コネクタが挿入されることによりこの光コネクタに装着可能なキャップ部とを備え、
前記キャップ部は、前記保留盤本体に対し着脱自在に取り付け可能であり、かつ前記保留盤本体に取り付けられた状態で前記光コネクタを引き抜く際に、前記取り付け状態が維持されることを特徴とする光コネクタ保留盤。
【請求項２】
前記保留盤本体が、基体と、前記基体から突出する取付け突起とを有し、
前記キャップ部は、前記取付け突起に係止することにより前記保留盤本体に取り付けられることを特徴とする請求項１に記載の光コネクタ保留盤。
【請求項３】
前記基体は、基板部と、前記基板部に対し交差する方向に設けられた立板部とを有し、
前記取付け突起が、前記基板部および立板部の両方に形成されていることを特徴とする請求項２に記載の光コネクタ保留盤。
【請求項４】
前記キャップ部は、前記光コネクタが一端開口側から挿入される筒部を備え、その内面に、他端開口側から挿入される前記取付け突起に係止可能な係止部が形成されていることを特徴とする請求項２または３に記載の光コネクタ保留盤。
【請求項５】
前記キャップ部の筒部内には、この筒部の内部空間を、前記光コネクタが挿入される一端開口側の空間と、他端開口側の空間とに区画する隔壁が形成されていることを特徴とする請求項４に記載の光コネクタ保留盤。
【請求項６】
前記キャップ部は、弾性材料からなり、前記光コネクタの外面に摩擦により装着されることを特徴とする請求項１〜５のうちいずれか１項に記載の光コネクタ保留盤。
【請求項７】
請求項１〜６のうちいずれか１項に記載の光コネクタ保留盤が取り付けられていることを特徴とする光配線設備。
【発明の詳細な説明】
【技術分野】
【０００１】
本発明は、光コネクタを着脱可能に保留する光コネクタ保留盤およびこれが用いられた光配線設備に関するものである。
【背景技術】
【０００２】
光配線架等の光配線設備においては、サービスインされていない、すなわち未接続の光コネクタおよび光ファイバを所定の収納場所に集合させて保留するための構造が設けられることがある。
この保留構造としては、例えば（１）複数本の光ファイバをケーブルクランプ、紐、タイラップ等で結束保持する、（２）光コネクタが嵌合可能な複数の嵌合部が形成された光コネクタ保留盤、等が採用される。また、光コネクタのフェルールには、保護のためフェルールキャップが取り付けられる。
回線数の増加などに対応するため、保留されている光コネクタを使用する際には、保持を解除して目的の光コネクタを取り出す。使用にあたっては、フェルールキャップは取り外される。
【先行技術文献】
【特許文献】
【０００３】
【特許文献１】特開２０００−２１４３４７号公報
【発明の概要】
【発明が解決しようとする課題】
【０００４】
しかしながら、光ファイバを結束して保持する構造では、結束された複数の光ファイバから目的のものを探し出し、結束を解除する作業が必要となるため、作業に手間がかかる。
また、前記光コネクタ保留盤も、フェルールキャップの取り外し等の作業に手間がかかり、光コネクタの取り出し作業の作業性は良好とはいえない。
本発明は、上記課題に鑑みてなされたもので、目的とする光コネクタの特定が容易であり、かつ着脱作業が容易であり、しかも十分な光コネクタの保護が可能となる光コネクタ保留盤および光配線設備を提供することを目的とするものである。
【課題を解決するための手段】
【０００５】
本発明の請求項１にかかる発明は、光コネクタを保留する光コネクタ保留盤であって、保留盤本体と、前記光コネクタが挿入されることによりこの光コネクタに装着可能なキャップ部とを備え、前記キャップ部は、前記保留盤本体に対し着脱自在に取り付け可能であり、かつ前記保留盤本体に取り付けられた状態で前記光コネクタを引き抜く際に、前記取り付け状態が維持される光コネクタ保留盤を提供する。
本発明の請求項２にかかる発明は、請求項１において、前記保留盤本体が、基体と、前記基体から突出する取付け突起とを有し、前記キャップ部は、前記取付け突起に係止することにより前記保留盤本体に取り付けられる光コネクタ保留盤である。
本発明の請求項３にかかる発明は、請求項２において、前記基体は、基板部と、前記基板部に対し交差する方向に設けられた立板部とを有し、前記取付け突起が、前記基板部および立板部の両方に形成されている光コネクタ保留盤である。
本発明の請求項４にかかる発明は、請求項２または３において、前記キャップ部が、前記光コネクタが一端開口側から挿入される筒部を備え、その内面に、他端開口側から挿入される前記取付け突起に係止可能な係止部が形成されている光コネクタ保留盤である。
本発明の請求項５にかかる発明は、請求項４において、前記キャップ部の筒部内には、この筒部の内部空間を、前記光コネクタが挿入される一端開口側の空間と、他端開口側の空間とに区画する隔壁が形成されている光コネクタ保留盤である。
本発明の請求項６にかかる発明は、請求項１〜５のうちいずれか１項において、前記キャップ部が、弾性材料からなり、前記光コネクタの外面に摩擦により装着される光コネクタ保留盤である。
本発明の請求項７にかかる発明は、請求項１〜６のうちいずれか１項に記載の光コネクタ保留盤が取り付けられている光配線設備を提供する。
【発明の効果】
【０００６】
本発明によれば、光コネクタの取り出しの際に、キャップ部の保留盤本体に対する取り付け状態が維持されるため、容易な操作でキャップ部から引き抜いて使用に供することができる。
フェルールキャップを使用しないため、引き抜いた光コネクタをそのまま使用に供することができ、作業性が良好となる。また、キャップ部が保留盤本体に残るため、キャップ部の紛失の心配もない。
また、キャップ部を光コネクタに装着した状態で保留盤本体に取り付けることができるため、保留状態にする際に光コネクタを外力から保護できる。
従って、光コネクタの着脱作業が容易であり、しかも光コネクタの十分な保護が可能となる。
また、光コネクタを整然と配列させることができるため、目的の光コネクタを特定するのが容易であり、誤接続を防止できる。
【図面の簡単な説明】
【０００７】
【図１】本発明の一実施形態である光コネクタ保留盤を示す斜視図である。
【図２】光コネクタ保留盤を一方側から見た斜視図である。
【図３】光コネクタ保留盤を他方側から見た斜視図である。
【図４】光コネクタ保留盤を一方側から見た側面図である。
【図５】光コネクタ保留盤の正面図である。
【図６】光コネクタ保留盤を他方側から見た側面図である。
【図７】基板部に設けられた取付け突起を示す斜視図である。
【図８】立板部に設けられた取付け突起を示す斜視図である。
【図９】キャップ部を一方側から見た斜視図である。
【図１０】キャップ部を他方側から見た斜視図である。
【図１１】キャップ部の斜視図である。
【図１２】保留盤本体および光コネクタとの関係を示すキャップ部の正断面図である。
【図１３】保留盤本体および光コネクタとの関係を示すキャップ部の側断面図である。
【図１４】光コネクタ保留盤を使用した光配線設備を示す模式図である。
【発明を実施するための形態】
【０００８】
以下、本発明の一実施形態を、図面を参照して説明する。
図１は、本発明の一実施形態である光コネクタ保留盤を示す斜視図である。図２および図３は、光コネクタ保留盤を示す斜視図である。図４〜図６は、光コネクタ保留盤示す一方側からの側面図、正面図、および他方側からの側面図である。図７および図８は、取付け突起５を示す斜視図である。図９〜図１１は、キャップ部を示す斜視図である。図１２および図１３は、保留盤本体および光コネクタとの関係を示すキャップ部の正断面図および側断面図である。
【０００９】
図１〜図３に示すように、光コネクタ保留盤１は、光ファイバ３３の端部に組み立てられた光コネクタ２０を保持するものであって、保留盤本体２と、保留盤本体２に着脱自在に取り付け可能なキャップ部３とを備えている。
保留盤本体２は、基体４と、基体４から突出する複数の取付け突起５とを有する。
基体４は、長板状の基板部６と、基板部６に対し垂直（または略垂直）な長板状の立板部７と、これらの一端に設けられた端板部８と、端板部８から延出するラッチ部９と、基板部６の他端に設けられた取付凸部１０とを有する。
なお、図２および図３におけるＸ方向、Ｙ方向、およびＺ方向は、それぞれ基板部６の長さ方向、幅方向、および基板部６に対し垂直な方向である。
【００１０】
図４〜図６に示すように、基板部６は、図示例では長方形状に形成されている。
立板部７は、図示例では長方形状とされ、基板部６の一方の側縁６ａから基板部６に対し垂直（または略垂直）に延出している。立板部７は、基板部６の一方面６ｃ側に立設されている。
端板部８は、図示例では長方形状とされ、基板部６の一方の端縁６ｂに、基板部６に対し垂直（または略垂直）に形成されている。端板部８は、基板部６の一方面６ｃ側に立設されている。
端板部８の端縁６ｂからの延出寸法は、立板部７の延出寸法より大きくされている（図４および図６参照）。
なお、基板部６に対する立板部７および端板部８の角度は、基板部６に対し交差する方向であればよく、図示例に限定されない。この角度は例えば０度を越え、１８０度未満の範囲とすることができる。
【００１１】
ラッチ部９は、端板部８の延出端部８ａの外面８ｂに形成されており、いったん外面８ｂから離れる方向に延出し、外面８ｂに沿って端板部８の基端方向に延びている。
ラッチ部９の延出端部９ａの外面９ｂには、外面９ｂから離れる方向に突出する係止凸部９ｃが形成されている。
ラッチ部９は、弾性的に曲げ変形可能であり、延出端部９ａが端板部８に接近および離間する方向に移動可能である。
【００１２】
図７および図８に示すように、取付け突起５は、基板部６の一方面６ｃおよび立板部７の一方面７ａにそれぞれ設けられている。
基板部６に設けられた取付け突起５は、基板部６の幅方向（Ｙ方向）に沿う板状の主板部１１と、主板部１１に対し垂直（または略垂直）に形成された副板部１２とからなる。
立板部７に設けられた取付け突起５は、立板部７の幅方向（Ｚ方向）に沿う板状の主板部１１と、主板部１１に対し垂直（または略垂直）に形成された副板部１２とからなる。
主板部１１および副板部１２は、基板部６（または立板部７）に垂直に形成されており、主板部１１は、基部１３と、基板部６から離れた位置にて基部１３から両側方に突出した係止突起１４とを有する。
これら複数の取付け突起５は、基板部６および立板部７の長さ方向に間隔をおいて、この方向に沿って一列に配列されている。
なお、取付け突起５は、所定の方向に沿って１または複数列に配列することができる。
【００１３】
図１および図６に示すように、保留盤本体２は、光成端架、光配線盤、光接続箱等の光配線設備の扉部などの被取付体２８の取付面２８ａに取り付けられる。
図６に示すように、保留盤本体２の取付構造としては、例えば、被取付体２８に形成された開口部などの取付凹部２９、３０に、それぞれラッチ部９および取付凸部１０が挿入され、その先端に形成された係止凸部９ｃ、１０ａが取付凹部２９、３０内の係止段部２９ａ、３０ａに係止する構成が可能である。
ラッチ部９を端板部８に近づく方向に弾性変形させて、係止段部２９ａに対する係止凸部９ｃの係止を解除することによって、保留盤本体２は被取付体２８から取り外すことができる。
図１に示す例では、複数の保留盤本体２が基板部６の幅方向に間隔をおいて被取付体２８上に取り付けられている。
【００１４】
図９〜図１３に示すように、キャップ部３は、光コネクタ２０を保護するためのものであって、断面略矩形状の筒部１６と、筒部１６内に設けられて内部空間１７を前後に隔てる隔壁１８とを有する。なお、図９に示す前後方向は筒部１６の軸方向である。
図１２に示すように、内部空間１７は、隔壁１８によって後方側（一端開口側）の挿入空間２１と前方側（他端開口側）の取付空間２２とに区画されている。
【００１５】
図１０、図１２、図１３に示すように、取付空間２２に面する筒部１６の内側面には、受け突起２３、２３（係止部）が形成されている。受け突起２３、２３は、筒部１６の一側板２５Ａと、これに対向する他側板２５Ｂの内面に、それぞれ内方に向けて突出して形成されている。
受け突起２３は、側板２５Ａ、２５Ｂの前端部近傍の内面に、隔壁１８から前方に間隔をおいて形成されている。
【００１６】
図１２に示すように、取付空間２２には取付け突起５が挿入可能である。
２つの受け突起２３、２３の離間距離Ｗ１は、取付け突起５の係止突起１４における主板部１１の幅方向の寸法Ｗ２より小さいため、取付け突起５が取付空間２２に挿入される際には受け突起２３が係止突起１４に当たるが、キャップ部３を取付け突起５に向け十分な力で押圧すると、受け突起２３は係止突起１４を乗り越え、係止突起１４は受け突起２３の後方側の空間に収まる。
この状態で、受け突起２３は係止突起１４に係止可能となり、キャップ部３の後方移動は制限される。
【００１７】
なお、図示例では受け突起２３が取付け突起５に係止することでキャップ部３が保留盤本体２に取り付けられるが、保留盤本体２とキャップ部３との係止構造はこれに限らず、例えば、いずれか一方が凸部であり、他方がこれに係止する凹部である構造を採用できる。このため、取付け突起５に係止可能なキャップ部３の係止部（図示例では受け突起２３）の形状は凸部に限らず、凹部であってもよい。
【００１８】
図１２および図１３に示すように、挿入空間２１は光コネクタ２０が挿入される空間である。
挿入空間２１に挿入可能な光コネクタ２０としては、ハウジング３１内にフェルール３２が設けられた構造の光コネクタプラグを挙げることができ、例えばＳＣ形光コネクタ（ＪＩＳ  Ｃ  ５９７３に制定されるＦ０４形光コネクタ。ＳＣ：Single fiber Coupling optical fiber connector）、ＭＵ形光コネクタ（ＪＩＳ  Ｃ  ５９８３に制定されるＦ１４形光コネクタ。ＭＵ:Miniature-Unit coupling optical fiber connector）、ＬＣ形光コネクタ（ルーセント社商標）などがある。
挿入空間２１には、光コネクタ２０のフェルール３２およびハウジング３１の先端部が挿入される。挿入された光コネクタ２０の先端部は筒部１６および隔壁１８に囲まれて保護される。
【００１９】
キャップ部３は、光コネクタ２０が挿入空間２１に挿入されることによって光コネクタ２０に装着される。
キャップ部３は、光コネクタ２０の外面に対する摩擦力によって光コネクタ２０に係止するように構成することができる。例えば、キャップ部３を弾性材料で構成し、その弾性力により光コネクタ２０外面に対する摩擦力を高める構成も可能である。この弾性材料としては、例えばポリプロピレン、エラストマ−等がある。
キャップ部３は、この構成とすれば、光コネクタアダプタに用いられる係止爪のような複雑な係止構造が不要となり、簡易な構造で確実に光コネクタ２０に装着できる。
また、光コネクタ２０が側板２５Ａ、２５Ｂ内面の受け突起２４、２４に係止する構成も可能である。
【００２０】
光コネクタ保留盤１では、キャップ部３は、光コネクタ２０に比べ、取付け突起５に対してより強く係止するように構成されている。例えば、係止突起１４に対する受け突起２３の解除抵抗が、光コネクタ２０の外面に対するキャップ部３の摩擦抵抗よりも大きくなるようにされている（図１２参照）。
このため、取付け突起５に取り付けられたキャップ部３に挿入された光コネクタ２０を後方に引っ張ると、光コネクタ２０がキャップ部３から引き抜かれる一方、キャップ部３は保留盤本体２に対する取り付け状態が維持される。光コネクタ２０は再びキャップ部３に挿入することもできる。
このため、光コネクタ２０はキャップ部３に対して容易に挿抜（挿入および引き抜き）できる。
【００２１】
光コネクタ保留盤１は、例えば次のような使用方法が可能である。
図１４に示すように、光コネクタ保留盤１は、例えば光成端架、光配線盤、光接続箱等の光配線設備３４の扉部３５等に取り付けることができる。
図１に示すように、光コネクタ２０をキャップ部３の挿入空間２１に挿入し、このキャップ部３を取付け突起５に取り付ける。
光コネクタ２０は、装着されたキャップ部３により外力から保護されるため、フェルール３２等の破損を防止できる。
なお、光コネクタ２０が組み立てられる光ファイバ３３は例えば光ファイバコード、光ファイバ心線等である。
【００２２】
キャップ部３は、基板部６に設けられた取付け突起５に取り付けてもよいし、立板部７に設けられた取付け突起５に取り付けてもよい。
図１〜図３に示すように、キャップ部３を基板部６の取付け突起５に取り付ければ、光コネクタ２０は被取付体２８の取付面２８ａに対してほぼ垂直となる。キャップ部３を立板部７の取付け突起５に取り付ければ、光コネクタ２０は取付面２８ａに沿う方向に配置される。
キャップ部３を基板部６、立板部７のうちいずれの取付け突起５に取り付けるかについては、光ファイバ３３の配線形態などに応じて選択すればよい。
【００２３】
図１に示すように、光コネクタ２０は、キャップ部３に挿入された状態で、被取付体２８の取付面２８ａ上に整然と配列される。
図１４に示すように、回線数の増加が必要となる場合などには、光コネクタ保留盤１に保持された光コネクタ２０のなかから必要数を取り外し、光配線設備３４の本体部３６の光コネクタアダプタ３７等に接続することができる。
光コネクタ２０を光コネクタ保留盤１から外すには、キャップ部３に挿入された光コネクタ２０を後方に引っ張ることによって、光コネクタ２０をキャップ部３から引き抜けばよい。この際、キャップ部３は、取付け突起５に係止するため、保留盤本体２に対する取り付け状態が維持される。
キャップ部３から引き抜いた光コネクタ２０は、そのまま光コネクタアダプタ３７等に接続することができる。
【００２４】
このように、光コネクタ保留盤１では、光コネクタ２０の取り出しの際に、キャップ部３の保留盤本体２に対する取り付け状態が維持されるため、容易な操作でキャップ部３から引き抜いて使用に供することができる。
フェルールキャップを使用しないため、引き抜いた光コネクタ２０をそのまま使用に供することができ、作業性が良好となる。また、キャップ部３が保留盤本体２に残るため、キャップ部３の紛失の心配もない。
また、キャップ部３を光コネクタ２０に装着した状態で保留盤本体２に取り付けることができるため、保留状態にする際に光コネクタ２０を外力から保護できる。
従って、光コネクタ２０の着脱作業が容易であり、しかも光コネクタ２０の十分な保護が可能となる。
また、光コネクタ２０を整然と配列させることができるため、目的の光コネクタ２０を特定するのが容易であり、誤接続を防止できる。
【００２５】
また、光コネクタ保留盤１では、基体４が基板部６と立板部７とを有し、これらの両方に取付け突起５が設けられているので、光コネクタ２０の取り付け方向を光ファイバ３３の配線形態などに応じて選択できる。
従って、省スペース化や作業性を考慮した光ファイバ３３の配線が可能となる。
【００２６】
なお、キャップ部３は、保留盤本体２から離れる方向に強い力を加えれば、係止突起１４に対する受け突起２３の係止が解除され、取付け突起５から外れる。
【符号の説明】
【００２７】
１・・・光コネクタ保留盤、２・・・保留盤本体、３・・・キャップ部、４・・・基体、５・・・取付け突起、６・・・基板部、７・・・立板部、１４・・・係止突起、１６・・・筒部、１７・・・内部空間、１８・・・隔壁、２０・・・光コネクタ、２１・・・挿入空間（一端開口側の空間）、２２・・・取付空間（他端開口側の空間）、２３・・・受け突起（係止部）、３４・・・光配線設備。
【図１】
2011095573.tif 000003
【図２】
2011095573.tif 000004
【図３】
2011095573.tif 000005
【図４】
2011095573.tif 000006
【図５】
2011095573.tif 000007
【図６】
2011095573.tif 000008
【図７】
2011095573.tif 000009
【図８】
2011095573.tif 000010
【図９】
2011095573.tif 000011
【図１０】
2011095573.tif 000012
【図１１】
2011095573.tif 000013
【図１２】
2011095573.tif 000014
【図１３】
2011095573.tif 000015
【図１４】
2011095573.tif 000016